(57)【要約】【課題】取り付け姿勢の制約を緩和することができる膨張水処理継手を有する元止め式電気温水器を提供することができる。【解決手段】水の供給と停止とを切り替える開閉弁と、前記開閉弁を介して供給される水を貯留し加熱するタンクと、前記タンクから供給される湯水が流れる第１の内部流路と、前記第１の内部流路からの湯水を外部に吐水する吐水部の側へ導く第２の内部流路と、前記第１の内部流路からの湯水を排水管に排水する排水ホッパーの側へ導く第３の内部流路と、を有する膨張水処理継手と、を備え、前記膨張水処理継手は、前記第１の内部流路を流れる湯水の流速が所定の流速よりも速い場合には湯水の流れの付勢により前記第３の内部流路への経路を閉じ、前記第１の内部流路を流れる湯水の流速が所定の流速よりも遅い場合には弾性により前記第３の内部流路への経路を開く弾性体を有することを特徴とする元止め式電気温水器。【選択図】図１
2016176651.tif 000002
【特許請求の範囲】
【請求項１】
水の供給と停止とを切り替える開閉弁と、
前記開閉弁を介して供給される水を貯留し加熱するタンクと、
前記タンクから供給される湯水が流れる第１の内部流路と、前記第１の内部流路からの湯水を外部に吐水する吐水部の側へ導く第２の内部流路と、前記第１の内部流路からの湯水を排水管に排水する排水ホッパーの側へ導く第３の内部流路と、を有する膨張水処理継手と、を備え、
前記膨張水処理継手は、前記第１の内部流路を流れる湯水の流速が所定の流速よりも速い場合には湯水の流れの付勢により前記第３の内部流路への経路を閉じ、前記第１の内部流路を流れる湯水の流速が所定の流速よりも遅い場合には弾性により前記第３の内部流路への経路を開く弾性体を有することを特徴とする元止め式電気温水器。
【請求項２】
前記弾性体は、ダイヤフラムであることを特徴とする請求項１に記載の元止め式電気温水器。
【請求項３】
前記弾性体は、ダックビルバルブであることを特徴とする請求項１に記載の元止め式電気温水器。
【請求項４】
前記膨張水処理継手と前記吐水部との間に規制手段を備え、
前記規制手段は、前記膨張水処理継手からの湯水の流速が所定の流速よりも速い場合には前記膨張水処理継手からの湯水が前記吐水部の側へ流れるよう流路を開き、前記膨張水処理継手からの湯水の流速が所定の流速よりも遅い場合には前記膨張水処理継手からの湯水が前記吐水部の側へ流れることを規制するよう流路を閉じることを特徴とする請求項１乃至３の何れか１項に記載の元止め式電気温水器。
【発明の詳細な説明】
【技術分野】
【０００１】
本発明の態様は、一般的に、元止め式電気温水器に関する発明である。
【背景技術】
【０００２】
一般的に、元止め式電気温水器は、水をタンクに貯めて加熱する構造を有する。そのため、元止め式電気温水器では、加熱による水の体積の膨張によって膨張水が発生する。膨張水は、水栓から滴り落ちる。そのため、使用者は、水栓から滴り落ちる膨張水が漏水であると勘違いする場合がある。
【０００３】
これに対して、例えば、供給される水を貯留し加熱するタンクと水栓とを接続する配管の中途に、タンクから供給される湯水を水栓の吐水部の側に導く流路と、タンクから供給される湯水を排水管に接続された排水ホッパーに排水する流路と、を有する膨張水処理継手が設けられた元止め式電気温水器がある（特許文献１）。特許文献１に記載された元止め式電気温水器の膨張水処理継手は、その内部に球体を備え、配管内の湯水の流速に応じてこの球体が移動することにより排水ホッパーの側または水栓の側へと導水している。すなわち、一般的な吐水時の水のように配管内の流速が速い湯水は、球体が排水ホッパーの側の流路を塞ぐことにより水栓の側へと導水される。一方、膨張水のように配管内の流速が遅い湯水は、球体が排水ホッパー側の流路から離れるため排水ホッパーの側の流路へ導水され、排水管へと排水される。
【０００４】
しかし、特許文献１に記載された元止め式電気温水器では、止水時に球体が排水ホッパーの側の流路を塞がないように、膨張水処理継手の取り付け姿勢に注意を払う必要がある。すなわち、球体の比重が１以上の場合は排水経路が鉛直下向き方向となるように膨張水処理継手を設けることができず、球体の比重が１未満の場合は排水経路が鉛直上向き方向となるように膨張水処理継手を設けることができないという制約がある。
【先行技術文献】
【特許文献】
【０００５】
【特許文献１】特開２０１３−２１３６１５号公報
【発明の概要】
【発明が解決しようとする課題】
【０００６】
本発明は、上記のような問題を解決するためになされたもので、取り付け姿勢の制約を緩和することができる膨張水処理継手を備えた元止め式電気温水器を提供することを目的とする。
【課題を解決するための手段】
【０００７】
第１の発明は、水の供給と停止とを切り替える開閉弁と、前記開閉弁を介して供給される水を貯留し加熱するタンクと、前記タンクから供給される湯水が流れる第１の内部流路と、前記第１の内部流路からの湯水を外部に吐水する吐水部の側へ導く第２の内部流路と、前記第１の内部流路からの湯水を排水管に排水する排水ホッパーの側へ導く第３の内部流路と、を有する膨張水処理継手と、を備え、前記膨張水処理継手は、前記第１の内部流路を流れる湯水の流速が所定の流速よりも速い場合には湯水の流れの付勢により前記第３の内部流路への経路を閉じ、前記第１の内部流路を流れる湯水の流速が所定の流速よりも遅い場合には弾性により前記第３の内部流路への経路を開く弾性体を有することを特徴とする元止め式電気温水器である。
【０００８】
この元止め式電気温水器によれば、第１の内部流路を流れる湯水の流速が所定の流速よりも速い場合には、弾性体は湯水の圧力により変形し、第３の内部流路への経路を閉じる。一方、第１の内部流路を流れる湯水の流速が所定の流速よりも遅い場合には、弾性体は弾性により元の形状に戻り、第３の内部流路への経路を開く。そのため、膨張水処理継手の取り付け姿勢の制約を緩和することができる。
【０００９】
また、第２の発明は、第１の発明において、前記弾性体は、ダイヤフラムであることを特徴とする元止め式電気温水器である。
【００１０】
この元止め式電気温水器によれば、第１の内部流路を流れる湯水の流速が所定の流速よりも速い場合には、ダイヤフラムは、湯水の圧力により変形し、第３の内部流路への経路を閉じる。一方、第１の内部流路を流れる湯水の流速が所定の流速よりも遅い場合には、ダイヤフラムは、弾性により元の形状に戻り、ダイヤフラムと排水ホッパーの側の流路との間に空間が発生し、第３の内部流路への経路を開く。ダイヤフラムにより第３の内部流路への経路を開閉するため、精度よく第３の内部流路への経路を閉じることができる。
【００１１】
また、第３の発明は、第１の発明において、前記弾性体は、ダックビルバルブであることを特徴とする元止め式電気温水器である。
【００１２】
この元止め式電気温水器によれば、第１の内部流路を流れる湯水の流速が所定の流速よりも速い場合には、ダックビルバルブは、湯水の圧力により変形し、ダックビルバルブの先端の開閉部が塞がれ、第３の内部流路への経路を閉じる。一方、第１の内部流路を流れる湯水の流速が所定の流速よりも遅い場合には、ダックビルバルブは、弾性により元の形状に戻り、ダックビルバルブの先端の開閉部が開き、第３の内部流路への経路を開く。ダックビルバルブにより第３の内部流路への経路を開閉するため、第３の内部流路と弾性体との間のシール面が不要となり、膨張水処理継手の部品点数を少なくすることができる。
【００１３】
また、第４の発明は、第１から第３の何れかの発明において、前記膨張水処理継手と前記吐水部との間に規制手段を備え、前記規制手段は、前記膨張水処理継手からの湯水の流速が所定の流速よりも速い場合には前記膨張水処理継手からの湯水が前記吐水部の側へ流れるよう流路を開き、前記膨張水処理継手からの湯水の流速が所定の流速よりも遅い場合には前記膨張水処理継手からの湯水が前記吐水部の側へ流れることを規制するよう流路を閉じることを特徴とする元止め式電気温水器である。
【００１４】
この元止め式電気温水器によれば、規制手段は、膨張水処理継手からの湯水の流速が所定の流速よりも速い場合には膨張水処理継手からの湯水が吐水部の側へ流れるよう流路を開き、膨張水処理継手からの湯水の流速が所定の流速よりも遅い場合には膨張水処理継手からの湯水が吐水部の側へ流れることを規制するよう流路を閉じる。これにより、使用者が意図せずに吐水部から吐水されることを防止することができる。
【発明の効果】
【００１５】
本発明により、取り付け姿勢の制約を緩和することができる膨張水処理継手を有する元止め式電気温水器を提供することができる。
【図面の簡単な説明】
【００１６】
【図１】本発明の実施の形態にかかる元止め式電気温水器の要部構成を表すブロック図である。
【図２】本実施形態の膨張水処理継手の具体例を例示する模式的断面図である。
【図３】本実施形態の膨張水処理継手の具体例を例示する模式的断面図である。
【図４】本実施形態の膨張水処理継手の他の具体例を例示する模式的断面図である。
【図５】本実施形態の膨張水処理継手の他の具体例を例示する模式的断面図である。
【図６】本実施形態の膨張水処理継手の他の取り付け例を例示するブロック図である。
【図７】本実施形態の膨張水処理継手のさらに他の取り付け例を例示するブロック図である。
【図８】本実施形態の膨張水処理継手のさらに他の取り付け例を例示するブロック図である。
【発明を実施するための形態】
【００１７】
以下、本発明の実施の形態について図面を参照しつつ説明する。なお、各図面中、同様の構成要素には同一の符号を付して詳細な説明は適宜省略する。  
図１は、本発明の実施の形態にかかる元止め式電気温水器の要部構成を表すブロック図である。  
なお、図１は、水路系と電気系の要部構成を併せて表している。
【００１８】
本実施形態にかかる元止め式電気温水器１００は、開閉弁１１０と、タンク１２０と、膨張水処理継手１３０と、を備える。開閉弁１１０は、給水管１０１を通して供給される水のタンク１２０への供給と停止とを切り替える。タンク１２０は、給水管１０１と接続され、開閉弁１１０を介して供給される水を貯留する。タンク１２０の内部にはヒータ１２１が設けられている。ヒータ１２１は、タンク１２０に貯留された水を加熱して温水（湯）にすることができる。
【００１９】
膨張水処理継手１３０は、タンク１２０よりも下流側に設けられている。タンク１２０と膨張水処理継手１３０との間には、出水管１０３が設けられている。出水管１０３は、タンク１２０から供給される湯水を膨張水処理継手１３０へ導くことができる。
【００２０】
膨張水処理継手１３０は、第１の内部流路１３１と、第２の内部流路１３２と、第３の内部流路１３３と、を有する。第１の内部流路１３１は、タンク１２０から出水管１０３を通して供給される湯水を第２の内部流路１３２または第３の内部流路１３３へ導くことができる。第２の内部流路１３２は、第１の内部流路１３１を通して供給される湯水を洗面器２２０に取り付けられた水栓（吐水部）２１０の側へ導くことができる。膨張水処理継手１３０と水栓２１０との間には、水栓連結管１０５が設けられている。水栓連結管１０５は、膨張水処理継手１３０から供給される湯水を水栓２１０へ導くことができる。
【００２１】
第３の内部流路１３３は、第１の内部流路１３１を通して供給される湯水を排水ホッパー１４０の側へ導くことができる。膨張水処理継手１３０と排水ホッパー１４０との間には、排水連結管１０７が設けられている。排水連結管１０７は、膨張水処理継手１３０から供給される湯水を排水ホッパー１４０へ導くことができる。
【００２２】
排水ホッパー１４０は、排水管１０９に接続された排水トラップ１４１を有し、例えば排水管１０９から悪臭や害虫類などが室内に侵入することを防止する。
【００２３】
また、本実施形態にかかる元止め式電気温水器１００は、制御部１６０を備える。制御部１６０は、水栓２１０に設けられたセンサ２１１からセンサコード２１２を経由して送信される信号に基づいて、開閉弁１１０の開閉動作を制御する。  
使用者がセンサ２１１に手をかざすと、制御部１６０は、センサ２１１から送信される信号に基づいて開閉弁１１０を開き、水栓２１０から湯水を吐水させる。一方、手洗いなどの終了によりセンサ２１１が使用者の手を検知しなくなると、制御部１６０は、センサ２１１から送信される信号に基づいて開閉弁１１０を閉じ、水栓２１０からの湯水の吐水を停止させる。
【００２４】
さらに、膨張水処理継手１３０は、その内部に弾性体１３５を有する。弾性体１３５は弾性を有する部材であり、第１の内部流路１３１を流れる湯水の流速が所定の流速よりも速い場合には、湯水の流れの付勢により変形して第３の内部流路１３３への経路を閉じる。一方、弾性体１３５は、第１の内部流路１３１を流れる湯水の流速が所定の流速よりも遅い場合には、弾性により元の状態に戻り第３の内部流路１３３への経路を開く。
【００２５】
これによれば、弾性体１３５の弾性を利用して第３の内部流路１３３への経路を開閉するため、膨張水処理継手の取り付け姿勢の制約を緩和することができる。
【００２６】
また、水栓連結管１０５には、第２の内部流路１３２から水栓２１０へ流れる方向を順方向として、水栓２１０からの水の水圧が弾性体１３５にかかることを防止する逆流防止弁１５０が設けられている。例えば手洗いの終了などにより水栓２１０からの湯水の吐水が停止した後に、弾性体１３５は第３の内部流路１３３への経路を開くように構成されている。水栓２１０からの湯水の吐水が停止した後、水栓連結管１０５内の湯水は、重力の作用により膨張水処理継手１３０の内部へ逆流しようとする。この逆流する湯水の水圧が弾性体１３５にかかると、弾性体１３５が変形して第３の内部流路１３３への経路を塞いでしまう恐れがある。本発明では、水栓連結管１０５に逆流防止弁１５０を設けているため、水栓２１０からの湯水の吐水が停止した後、水栓連結管１０５内の湯水は、重力の作用により膨張水処理継手１３０の内部へ逆流することを防止することができる。すなわち、逆流防止弁１５０は、水栓２１０側から逆流する湯水の水圧が、弾性体１３５にかかることを防ぐことができる。よって、水栓２１０からの湯水の水圧により弾性体１３５が第３の内部流路１３３への経路を塞ぐことを防止することができる。その結果、水栓２１０からの湯水の吐水が停止した後に、より確実に弾性体１３５が第３の内部流路１３３への経路を開き、膨張水は第３の内部流路１３３を通過して排水管１０９へ排水される。
【００２７】
次に、本実施形態の膨張水処理継手１３０の具体例について、図面を参照しつつ説明する。図２および図３は、本実施形態の膨張水処理継手の具体例を例示する模式的断面図である。なお、図２は、弾性体が第３の内部流路への経路を閉じた状態を表す模式的断面図である。図３は、弾性体が第３の内部流路への経路を開いた状態を表す模式的断面図である。
【００２８】
図２および図３に表したように、本具体例の弾性体１３５ａは、膨張水処理継手１３０ａの内部であって、第１の内部流路１３１と第３の内部流路１３３との間に設けられている。弾性体１３５ａは、第１の内部流路１３１から膨張水処理継手１３０ａ内に挿入された後、第１の内部流路１３１からブッシュ１３４を嵌め込むことで膨張水処理継手１３０ａに固定されている。弾性体１３５ａは、ダイヤフラムで構成され、その中央には、第１の内部流路１３１と第３の内部流路１３３とを連通する連通孔１３６ａが形成されている。
また、本具体例の膨張水処理継手１３０ａの第１の内部流路１３１と第３の内部流路との間には、連通部１３７が設けられている。連通部１３７は、貫通孔１３７ａと、凸部１３７ｂとを有する。貫通孔１３７ａは、弾性体１３５ａが膨張水処理継手１３０ａの内部に固定されることで形成される空間と第３の内部流路１３３を連通するものであり、１つでもよいし複数形成されていてもよい。また、凸部１３７ｂは、弾性体１３５ａの連通孔１３６ａをシールするためのものであり、凸部１３７ｂの面積は、連通孔１３６ａの面積よりも大きくなるように形成されている。
【００２９】
一般的な吐水時のように、第１の内部流路１３１を流れる湯水の流速が所定の流速よりも速い場合には、湯水の流れの勢いは比較的強い。そのため、図２に表したように、ダイヤフラムで構成された弾性体１３５ａは、湯水の流れの勢いで第３の内部流路１３３側へ変形して連通部１３７の側へ押される。そして、弾性体１３５ａの連通孔１３６ａは、連通部１３７の凸部１３７ｂに押し付けられ、凸部１３７ｂと密着する。これにより、弾性体１３５ａは、第３の内部流路１３３への経路を閉じる。そのため、一般的な吐水時の湯水のように流速が所定の流速よりも速い湯水は、図２に表した矢印Ａ１および矢印Ａ２のように、第１の内部流路１３１および第２の内部流路１３２を通過し、水栓２１０から吐水される。
【００３０】
一方、膨張水が流れる場合のように、第１の内部流路１３１を流れる湯水の流速が所定の流速よりも遅い場合には、湯水の流れの勢いは比較的弱い。そのため、図３に表したように、ダイヤフラムで構成された弾性体１３５ａは、弾性により元の状態に戻るため、連通孔１３６ａは凸部１３７ｂから離れ第１の内部流路１３１の側へ移動する。これにより、弾性体１３５ａは、第３の内部流路１３３への経路を開く。具体的には、弾性体１３５ａが弾性により元の状態に戻ることで、連通孔１３６ａは凸部１３７ｂから離れる。連通孔１３６ａが凸部１３７ｂから離れると、第１の内部流路１３１と弾性体１３５ａと連通部１３７との間に形成される空間が連通される。その結果、第３の内部流路１３３への経路が開かれる。そのため、膨張水のように流速が所定の流速よりも遅い湯水は、図３に表した矢印Ａ１および矢印Ａ３のように、第１の内部流路１３１、連通孔１３６ａ、第１の内部流路１３１と弾性体１３５ａと連通部１３７との間に形成される空間、貫通孔１３７ａ、および第３の内部流路１３３を通過し、排水ホッパー１４０を介して排水管１０９へ排水される。その際、矢印Ａ２のように、第２の内部流路１３２側へも流れようとするが、図１に示す構成においては、第２の内部流路１３２が鉛直上向き方向となるように膨張水継手１３０ａが取り付けられているために水栓連結管１０５までは流れない。
【００３１】
本具体例によれば、第１の内部流路１３１を流れる湯水の流速が所定の流速よりも速くなった場合には、ダイヤフラムで構成される弾性体１３５ａは、湯水の圧力により変形し、第３の内部流路１３３への経路を閉じる。一方、第１の内部流路１３１を流れる湯水の流速が所定の流速よりも遅くなった場合には、ダイヤフラムで構成される弾性体１３５ａは、弾性により元の形状に戻り、ダイヤフラムで構成される弾性体１３５ａと排水ホッパーの側の流路との間に空間が発生し、第３の内部流路１３３への経路を開く。そのため、膨張水処理継手１３０ａの取り付け姿勢の制約を緩和することができる。
【００３２】
また、ダイヤフラムで構成された弾性体１３５ａにより第３の内部流路１３３への経路を開閉するため、精度よく第３の内部流路への経路を閉じることができる。すなわち、より確実に第３の内部流路１３３への経路を閉じることができる。
【００３３】
また、弾性体により第３の内部流路１３３への経路を開閉することで、球体を使用する場合と比べて、第３の内部流路１３３を開閉することで発生する異音（球体の振動音）を防ぐことができる。また、第３の内部流路１３３への経路を開放する際は、弾性体１３５ａが弾性によりシール面である凸部１３７ｂから離れるため、球体を使用する場合と比べて、第３の内部流路１３３への経路を固着により塞いでしまうことを抑制することができる。
【００３４】
図４および図５は、本実施形態の膨張水処理継手の他の具体例を例示する模式的断面図である。
なお、図４は、弾性体が第３の内部流路への経路を閉じた状態を表す模式的断面図である。図５は、弾性体が第３の内部流路への経路を開いた状態を表す模式的断面図である。
【００３５】
図４および図５に表したように、本具体例の膨張水処理継手１３０ｂは、ダックビルバルブで構成された弾性体１３５ｂを有している。その他の膨張水処理継手１３０ｂの構造は、図２および図３に関して前述した膨張水処理継手１３０ａの構造と同様である。
【００３６】
本具体例の弾性体１３５ｂは、上述したようにダックビルバルブで構成されており、一方の端部にスリット状に開口された開閉部１３６ｂが形成され、他方の端部に円形状に開口された開口部１３６ｃが形成されている。弾性体１３５ｂは、膨張水処理継手１３０ｂの内部であって、開閉部１３６ｂが第１の内部流路１３１の側、開口部１３６ｃが第３の内部流路１３３の側となるように、第１の内部流路１３１と第３の内部流路１３３との間にブッシュ（図示なし）により固定されている。
【００３７】
一般的な吐水時のように、第１の内部流路１３１を流れる湯水の流速が所定の流速よりも速い場合には、湯水の流れの勢いは比較的強い。そのため、図４に表したように、ダックビルバルブで構成された弾性体１３５ｂは、湯水の流れの勢いで開閉部１３６ｂを閉じるように変形する。これにより、第３の内部流路１３３への経路を閉じる。そのため、一般的な吐水時の湯水のように流速が所定の流速よりも速い湯水は、図４に表した矢印Ａ１および矢印Ａ２のように、第１の内部流路１３１および第２の内部流路１３２を通過し、水栓２１０から吐水される。
【００３８】
一方、膨張水が流れる場合のように、第１の内部流路１３１を流れる湯水の流速が所定の流速よりも遅い場合には、湯水の流れの勢いは比較的弱い。そのため、図５に表したように、ダックビルバルブで構成された弾性体１３５ｂは、弾性により元の状態に戻り、開閉部１３６ｂを開く。これにより、弾性体１３５ｂは、第３の内部流路１３３への経路を開く。そのため、膨張水のように流速が所定の流速よりも遅い湯水は、図５に表した矢印Ａ１および矢印Ａ３のように、第１の内部流路１３１および第３の内部流路１３３を通過し、排水ホッパー１４０を介して排水管１０９へ排水される。その際、矢印Ａ２のように、第２の内部流路１３２側へも流れようとするが、図１に示す構成においては、第２の内部流路１３２が鉛直上向き方向となるように膨張水継手１３０ｂが取り付けられているため、水栓連結管１０５までは流れない。
【００３９】
本具体例によれば、第１の内部流路１３１を流れる湯水の流速が所定の流速よりも速くなった場合には、ダックビルバルブで構成される弾性体１３５ｂは、湯水の圧力により変形し、その先端の開閉部１３６ｂが塞がれ、第３の内部流路１３３への経路を閉じる。一方、第１の内部流路１３１を流れる湯水の流速が所定の流速よりも遅くなった場合には、ダックビルバルブで構成される弾性体１３５ｂは、弾性により元の形状に戻り、その先端の開閉部１３６ｂが開き、第３の内部流路への経路を開く。そのため、膨張水処理継手１３０ｂの取り付け姿勢の制約を緩和することができる。
【００４０】
また、ダックビルバルブで構成された弾性体１３５ｂにより第３の内部流路１３３への経路を開閉するため、第３の内部流路１３３と弾性体１３５ｂとの間のシール面が不要となり、膨張水処理継手１３０ｂの部品点数を少なくすることができる。
【００４１】
また、弾性体により第３の内部流路１３３への経路を開閉することで、球体を使用する場合と比べて、第３の内部流路１３３を開閉することで発生する異音（球体の振動音）を防ぐことができる。
【００４２】
図６は、本実施形態の膨張水処理継手の他の取り付け例を例示するブロック図である。
なお、図６は、膨張水処理継手１３０の第３の内部流路１３３が上方を向くように取り付けられた状態を表すブロック図である。
【００４３】
図６に表したように、本実施形態では、膨張水処理継手１３０は、第３の内部流路１３３が上方を向いた状態で取り付けられている。その他のブロック図の構成及び構造は、図１に関して前述したブロック図と同様である。
【００４４】
本実施形態では、図１に表した実施形態と同様に、膨張水処理継手１３０は、水栓２１０よりも下方に配設され、水栓連結管１０５には、第２の内部流路１３２から水栓２１０へ流れる方向を順方向として、水栓２１０からの水の水圧が弾性体１３５にかかることを防止する逆流防止弁１５０が設けられている。よって、水栓２１０からの湯水の吐水が停止した後、水栓連結管１０５内の湯水は、重力の作用により膨張水処理継手１３０の内部へ逆流することを防止することができる。すなわち、逆流防止弁１５０は、水栓２１０側から逆流する湯水の水圧が、弾性体１３５にかかることを防ぐことができる。よって、水栓２１０からの湯水の水圧により弾性体１３５が第３の内部流路１３３への経路を塞ぐことを防止することができる。その結果、水栓２１０からの湯水の吐水が停止した後に、より確実に弾性体１３５が第３の内部流路１３３への経路を開き、膨張水は第３の内部流路１３３を通過して排水管１０９へ排水される。
【００４５】
本実施形態では、弾性体１３５により第３の内部流路１３３への経路の開閉を行うため、図６に表したように、膨張水処理継手１３０の第３の内部流路１３３が上方を向くように取り付けられた状態であっても、第１の内部流路１３１を流れる湯水の流速が所定の流速よりも速くなった場合には、弾性体１３５は、湯水の圧力により変形し、第３の内部流路１３３への経路を閉じることができる。一方、第１の内部流路１３１を流れる湯水の流速が所定の流速よりも遅くなった場合には、弾性体１３５は、弾性により元の形状に戻り、第３の内部流路１３３への経路を開くことができる。すなわち、本実施形態では、弾性体１３５により第３の内部流路１３３への経路の開閉を行うため、膨張水処理継手の取り付け姿勢の制約を緩和することができる。
【００４６】
図７は、本実施形態の膨張水処理継手のさらに他の取り付け例を例示するブロック図である。
なお、図７は、膨張水処理継手１３０の第３の内部流路１３３が下方を向くように取り付けられた状態を表すブロック図である。
【００４７】
図７に表したように、膨張水処理継手１３０は、回転継手１０２により第３の内部流路１３３が下方を向いた状態で取り付けられている。その他のブロック図の構成及び構造は、図１に関して前述したブロック図と同様である。
【００４８】
本実施形態では、図１及び図６に表した実施形態と同様に、膨張水処理継手１３０は、水栓２１０よりも下方に配設され、水栓連結管１０５には、第２の内部流路１３２から水栓２１０へ流れる方向を順方向として、水栓２１０からの水の水圧が弾性体１３５にかかることを防止する逆流防止弁１５０が設けられている。よって、水栓２１０からの湯水の吐水が停止した後、水栓連結管１０５内の湯水は、重力の作用により膨張水処理継手１３０の内部へ逆流することを防止することができる。すなわち、逆流防止弁１５０は、水栓２１０側から逆流する湯水の水圧が、弾性体１３５にかかることを防ぐことができる。よって、水栓２１０からの湯水の水圧により弾性体１３５が第３の内部流路１３３への経路を塞ぐことを防止することができる。その結果、水栓２１０からの湯水の吐水が停止した後に、より確実に弾性体１３５が第３の内部流路１３３への経路を開き、膨張水は第３の内部流路１３３を通過して排水管１０９へ排水される。
【００４９】
本実施形態では、弾性体１３５により第３の内部流路１３３への経路の開閉を行うため、図７に表したように、膨張水処理継手１３０の第３の内部流路１３３が下方を向くように取り付けられた状態であっても、第１の内部流路１３１を流れる湯水の流速が所定の流速よりも速くなった場合には、弾性体１３５は、湯水の圧力により変形し、第３の内部流路１３３への経路を閉じることができる。一方、第１の内部流路１３１を流れる湯水の流速が所定の流速よりも遅くなった場合には、弾性体１３５は、弾性により元の形状に戻り、第３の内部流路１３３への経路を開くことができる。すなわち、本実施形態では、弾性体１３５により第３の内部流路１３３への経路の開閉を行うため、膨張水処理継手の取り付け姿勢の制約を緩和することができる。
【００５０】
図８は、本実施形態の膨張水処理継手のさらに他の取り付け例を例示するブロック図である。
なお、図８は、膨張水処理継手１３０が水栓２１０よりも上方に取り付けられた状態を表すブロック図である。
【００５１】
図８に表したように、膨張水処理継手１３０は、膨張水処理継手１３０が水栓２１０よりも上方に取り付けられている。また、規制手段１５１を水栓連結管１０５に備えている。その他のブロック図の構成及び構造は、図１に関して前述したブロック図と同様である。
【００５２】
規制手段１５１は、膨張水処理継手１３０からの湯水の流速が所定の流速よりも速い場合には膨張水処理継手１３０からの湯水が水栓２１０の側へ流れるよう流路を開き、膨張水処理継手１３０からの湯水の流速が所定の流速よりも遅い場合には膨張水処理継手１３０からの湯水が水栓２１０の側へ流れることを規制するよう流路を閉じる。
本実施形態では、規制手段１５１としてバネ（図示なし）を内蔵した逆流防止弁１５０が用いられている。膨張水処理継手１３０から水栓２１０側へ流れようとする湯水の流速が所定の流速よりも速い場合、すなわち、膨張水処理継手１３０から水栓２１０側へ流れようとする湯水の水圧が、規制手段１５１としてのバネの付勢力よりも大きい場合は、膨張水処理継手１３０から水栓２１０までの流路（水栓連結管１０５の流路）を開き、水栓２１０側へ湯水が流れるようにする。一方、膨張水処理継手１３０から水栓２１０側へ流れようとする湯水の流速が所定の流速よりも遅い場合、すなわち、膨張水処理継手１３０から水栓２１０側へ流れようとする湯水の水圧が、この規制手段１５１としてのバネの付勢力よりも小さい場合は、膨張水処理継手１３０からと水栓２１０までの流路を閉じ、水栓２１０の側へ湯水が流れることを規制する。これにより、使用者等が意図した吐水を行うことができるとともに、使用者等が意図しない吐水（膨張水の排出）を防止することができる。
【００５３】
なお、規制手段は、バネを用いた構成に限られず、他の構成としてもよい。また、逆流防止弁を設けず、他の規制手段を設けてもよい。
【００５４】
本実施形態では、弾性体１３５により第３の内部流路１３３への経路の開閉を行うため、図８に表したように、膨張水処理継手１３０が水栓２１０よりも上方に取り付けられた状態であっても、第１の内部流路１３１を流れる湯水の流速が所定の流速よりも速くなった場合には、弾性体１３５は、湯水の圧力により変形し、第３の内部流路１３３への経路を閉じることができる。一方、第１の内部流路１３１を流れる湯水の流速が所定の流速よりも遅くなった場合には、弾性体１３５は、弾性により元の形状に戻り、第３の内部流路１３３への経路を開くことができる。すなわち、本実施形態では、弾性体１３５により第３の内部流路１３３への経路の開閉を行うため、膨張水処理継手の取り付け姿勢の制約を緩和することができる。
【００５５】
また、本実施形態では、水栓連結管１０５に規制手段１５１が設けられているため、図８に表したように、規制手段１５１により膨張水処理継手１３０から水栓２１０までの流路を開閉することができる。これにより、膨張水処理継手１３０が水栓２１０よりも上方に取り付けられた状態であっても、膨張水のように使用者が意図しない湯水が膨張水処理継手１３０から水栓２１０までの流路を通り水栓２１０から吐水されることを防止することができる。
【符号の説明】
【００５６】
１００・・・  元止め式電気温水器
１０１・・・  給水管
１０２・・・  回転継手
１０３・・・  出水管
１０５・・・  水栓連結管
１０７・・・  排水連結管
１０９・・・  排水管
１１０・・・  開閉弁
１２０・・・  タンク
１２１・・・  ヒータ
１３０、１３０ａ、１３０ｂ・・・  膨張水処理継手
１３１・・・  第１の内部流路
１３２・・・  第２の内部流路
１３３・・・  第３の内部流路
１３４・・・  ブッシュ
１３５、１３５ａ、１３５ｂ・・・  弾性体
１３６ａ・・・  連通孔
１３６ｂ・・・  開閉部
１３６ｃ・・・  開口部
１３７・・・  連通部
１３７ａ・・・  貫通孔
１３７ｂ・・・  凸部
１４０・・・  排水ホッパー
１４１・・・  排水トラップ
１５０・・・  逆流防止弁
１５１・・・  規制手段
１６０・・・  制御部
２１０・・・  水栓
２１１・・・  センサ
２１２・・・  センサコード
２２０・・・  洗面器
【図１】
2016176651.tif 000003
【図２】
2016176651.tif 000004
【図３】
2016176651.tif 000005
【図４】
2016176651.tif 000006
【図５】
2016176651.tif 000007
【図６】
2016176651.tif 000008
【図７】
2016176651.tif 000009
【図８】
2016176651.tif 000010